(57)【要約】布団クッションシステムであって、第１側面及び第２側面を有する発泡体コア（２０）と、発泡体コア（２０）を囲む空洞を形成する第１カバー（６０）であって、発泡体コア（２０）の周りに着脱可能に第１カバー（６０）を閉めるジッパー（７０）を含む第１カバーとを備える布団クッションシステムが提供される。第２カバー（８０）が第１カバー（６０）の少なくとも天面（６２）に選択的に取付可能である。布団クッションシステムを使用する方法は、布団クッションシステムを設けること、及び第１カバーの天面に隣接して第１側面あるいは第２側面と共に発泡体コアを位置決めすることを備える。該方法はさらに、第２カバーが第１パネルの上に延在するように、第１カバーの天面に第２カバーを取り付ける任意のステップを含む。
2019533488.tif 000002
【特許請求の範囲】
【請求項１】
第１発泡体層及び第２発泡体層を有する発泡体コアと、
発泡体コアを囲む空洞を集合的に形成する天面、底面、及び連続した側面を有する第１カバーであって、該第１カバーは、発泡体コアの周りに第１カバーを着脱可能に固定するジッパーを含む、第１カバーと、
選択的に取り付け可能であり、第１カバーの少なくとも天面を覆うように寸法的に形成された第２カバーと、を備え、
発泡体コアが第１カバーの天面に隣接した第１発泡体層あるいは第２発泡体層のいずれかと共に第１カバー内に位置可能なように発泡体コアは、第１カバーから着脱可能である、
布団クッションシステム。
【請求項２】
発泡体コアは、第１発泡体層と第２発泡体層との間に位置する第３発泡体層をさらに含む、請求項１に記載の布団クッションシステム。
【請求項３】
発泡体コアの周りに第１カバーを着脱可能に固定するジッパーは、
第１カバーの天面の反対側で連続した側面の周囲に沿って位置する第１のジッパートラックと、
底面の周囲に沿って位置する第２のジッパートラックで、第１のジッパートラックに選択的に取り付け可能な第２のジッパートラックと、
を備える、請求項１に記載の布団クッションシステム。
【請求項４】
第１カバーの天面の周囲に沿って位置する第１のジッパートラックと、
第２のカバーの周囲に沿って位置する第２のジッパートラックで、第１のジッパートラックへ選択的に取り付け可能な第２のジッパートラックと、をさらに備えた請求項１に記載の布団クッションシステム。
【請求項５】
第１カバーの連続した側面は、スペーサー織物を備える、請求項１に記載の布団クッションシステム。
【請求項６】
第１発泡体層は、第１硬度を有し、第２発泡体層は、第１発泡体層の第１硬度未満の第２硬度を有する、請求項１に記載の布団クッションシステム。
【請求項７】
第１発泡体層は、第１硬度を有し、第２発泡体層は、第１発泡体層の第１硬度未満の第２硬度を有し、第３発泡体層は、第１発泡体層の第１硬度、第２発泡体層の第２硬度、あるいは、第１発泡体層の第１硬度及び第２発泡体層の第２硬度の両方よりも大きい第３硬度を有する、請求項２に記載の布団クッションシステム。
【請求項８】
第１発泡体層は、第１空隙率を有し、第２発泡体層は、第１発泡体層の第１空隙率よりも大きい第２空隙率を有する、請求項１に記載の布団クッションシステム。
【請求項９】
第１カバーの天面は、第１カバーの天面に位置するユーザーの体の一部に冷却効果を提供するように構成される、請求項１に記載の布団クッションシステム。
【請求項１０】
第１カバーの天面は、超高分子量ポリエチレン織り糸を備える、請求項１に記載の布団クッションシステム。
【請求項１１】
布団クッションシステムが第１の構成にある状態では、発泡体コアは、第１カバーの天面に隣接した発泡体コアの第１発泡体層と共に第１カバー内に位置し、第２カバーは、第１カバーの天面が第１レベルの温度快適さを提供するように第１カバーに取り付けられておらず、
布団クッションシステムが第２の構成にある状態では、発泡体コアは、第１カバーの天面に隣接した発泡体コアの第１発泡体層と共に第１カバー内に位置し、第２カバーは、第２カバーが第１レベルの温度快適さよりも暖かい第２レベルの温度快適さを提供するように第１カバーに取り付けられており、
布団クッションシステムが第３の構成にある状態では、発泡体コアは、第１カバーの天面に隣接した発泡体コアの第２発泡体層と共に第１カバー内に位置し、第２カバーは、第１カバーの天面が第１レベルの温度快適さよりも涼しい第３レベルの温度快適さを提供するように第１カバーに取り付けられておらず、
布団クッションシステムが第４の構成にある状態では、発泡体コアは、第１カバーの天面に隣接した発泡体コアの第２発泡体層と共に第１カバー内に位置し、第２カバーは、第２カバーが第３レベルの温度快適さよりも暖かい第４レベルの温度快適さを提供するように第１カバーに取り付けられている、
請求項１に記載の布団クッションシステム。
【請求項１２】
布団クッションシステムは、折り重なりバッグ内に収納されるように構成されている、請求項１に記載の布団クッションシステム。
【請求項１３】
第１発泡体層及び第２発泡体層の少なくとも１つは、粘弾性発泡体で構成されている、請求項１に記載の布団クッションシステム。
【請求項１４】
第１発泡体層、第２発泡体層、及び第３発泡体層の少なくとも１つは、粘弾性発泡体で構成されている、請求項２に記載の布団クッションシステム。
【請求項１５】
第２カバーは、発泡体層を含んでいる、請求項１に記載の布団クッションシステム。
【請求項１６】
第２カバーは、フラシ天の織物で構成されている、請求項１に記載の布団クッションシステム。
【請求項１７】
布団クッションシステムの使用方法であって、
布団クッションシステムを準備することと、
ここで布団クッションシステムは、
第１発泡体層及び第２発泡体層を有する発泡体コアと、
発泡体コアを囲む空洞を集合的に形成する天面、底面、及び連続した側面を有する第１カバーで、発泡体コアの周りに第１カバーを着脱可能に固定するジッパーを含む第１カバーと、
選択的に取り付け可能であり、第１カバーの少なくとも天面を覆うように寸法的に形成された第２カバーと、を含んでおり、
発泡体コアの第１発泡体層が第１カバーの天面に隣接し、かつ第２カバーが第１カバーに取り付けられていない状態、又は、発泡体コアの第２発泡体層が第１カバーの天面に隣接し、かつ第２カバーが第１カバーに取り付けられていない状態のいずれかで、第１カバー内に発泡体コアを位置することと、
を備えた方法。
【請求項１８】
第１カバーに第２カバーを取り付けることをさらに備える、請求項１７に記載の方法。
【請求項１９】
発泡体コアの第１側面での第１発泡体層、第１側面に対向する発泡体コアの第２側面での第２発泡体層、及び第１発泡体層と第２発泡体層との間に位置する第３発泡体層を有する発泡体コアと、
発泡体コアを囲む空洞を集合的に形成する天面、底面、及び連続した側面を有する第１カバーで、発泡体コアの周りに第１カバーを着脱可能に固定するジッパーをさらに含む第１カバーと、
選択的に取り付け可能であり、第１カバーの少なくとも天面を覆うように寸法的に形成された第２カバーと、
を備え、
第１発泡体層は、第１硬度を有し、第２発泡体層は、第１発泡体層の第１硬度未満の第２硬度を有し、第３発泡体層は、第１発泡体層の第１硬度、第２発泡体層の第２硬度、又は、第１発泡体層の第１硬度及び第２発泡体層の第２硬度の両方、よりも大きい第３硬度を有し、
第１発泡体層は、第１空隙率を有し、第２発泡体層は、第１発泡体層の第１空隙率よりも大きい第２空隙率を有し、
第１カバーの天面は、天面の外表面から離れて熱が移動するように構成され、第２カバーは、天面の外表面に隣接した熱を保持するように構成されている、
布団クッションシステム。
【請求項２０】
第１カバーの天面は、超高分子量ポリエチレン織り糸で構成され、第２カバーは、フラシ天の織物で構成されている、請求項１９に記載の布団クッションシステム。
【発明の詳細な説明】
【技術分野】
【０００１】
本発明は、発泡体コア及び着脱可能なカバーを有する布団クッションシステムに関する。特に、本発明は、着脱可能なカバーとの組み合わせにおいて、複数の構成間で変更可能でありユーザーが自分の睡眠体験をカスタマイズできるリバーシブルな発泡体コアを有する布団クッションシステムに関する。
【背景技術】
【０００２】
単に布団と呼ぶこともできる布団クッションは、外側の布カバーで囲まれた、伝統的に綿、羊毛、合成中綿で作製されている。近年、布団クッションの要求の増加、及びクッション材の増加を提供するため、一もしくは複数の発泡体層を有し、中綿有あるいは中綿無の布団マットレスも製造されている。しかしながら、そのような発泡体ベースの布団クッションでさえ、外側のカバーは、布団クッションに休息するユーザーに、どちらかと言えば、殆ど快適さをもたらさない。したがって布団クッションは、ユーザーが自分の睡眠の快適さを増す、あるいはカスタマイズすることを可能にするために、しばしば、追加のパッド、シーツ、キルト、毛布等を必要とする。もちろん、そのような追加物は、特定の季節及び気候に依存して大きく変更でき、使用中、ユーザーが夜中に目が覚めてもよいように容易に位置を変えることができる。さらに、使用されていないときには、そのような追加のアイテムは、収納されねばならず、しばしば大きな収納スペースを要する。
【発明の概要】
【０００３】
本発明は、発泡体コア及び着脱可能なカバーを有する布団クッションシステムを含む。特に、本発明は、着脱可能なカバーとの組み合わせにおいて、複数の構成間で変更可能でありユーザーが自分の睡眠体験をカスタマイズできるリバーシブルな発泡体コアを有する布団クッションシステムを含む。
【０００４】
本発明の１つの例示的な実施形態において、布団クッションシステムは、第１発泡体層及び第２発泡体層を有する発泡体コアと、発泡体コアを囲む空洞を集合的に形成する天面、底面及び連続した側面を有する第１カバーと、第１カバーの少なくとも天面をカバーするように選択的に取り付け可能で、寸法的に形成された第２カバーとを含んで提供される。
【０００５】
本発明の布団クッションシステムにおいて利用される発泡体コアに関して、例示的な発泡体コアは、発泡体コアの第１側面を形成する第１発泡体層、発泡体コアの第２側面を形成する第２発泡体層、及び第１発泡体層と第２発泡体層との間に位置する、第３発泡体層を含む。いくつかの実施形態では、第１発泡体層、第２発泡体層、及び／又は第３発泡体層は、それぞれ粘弾性発泡体を備える。しかしながら、第１発泡体層及び第２発泡体層の特性を変えることによって、発泡体コアは、発泡体コアのどの側面がユーザーあるいはユーザーの部分を支持するために使用されるかに依存して、快適さ及び支持の異なるレベルを提供することができる。例えば、いくつかの例示的な実施形態では、第１発泡体層は、第２発泡体層における第２の硬度よりも大きい第１の硬度を有している。このように、第１発泡体層によって形成される、発泡体コアの第１側面は、ユーザーの体あるいは部分を休めるためにユーザー用のより堅い表面を提供するように構成され、一方、それより低い硬度の、発泡体コアの第２側面は、より柔軟な表面を提供する。さらに、第２発泡体層の第２の硬度だけでなく第３発泡体層は、いくつかの実施形態において、第１発泡体層の第１の硬度よりも大きい第３の硬度を有し、それにより、発泡体コアの真ん中で剛性及び支持を提供する。これに関して、ユーザーが下の本発明の布団クッションシステムにおける硬い表面を感じないことを確保するために必要な下部の支持を提供する第３発泡体層と共に、第１発泡体層及び第２発泡体層は、発泡体コアの第１側面及び第２側面のそれぞれで所望の支持あるいは感覚特性を提供するように一般に構成されている。
【０００６】
さらに、例示的な布団クッションシステムでは、発泡体層は、温度快適さの所望の程度を提供することを支援する様々なレベルの空隙率を有する発泡体を備えることができる。より穴が多い発泡体は、一般的に発泡体を通るより大きな気流を提供し、これは、発泡体の全体の睡眠温度を低下させ、また、布団クッションシステムに位置するユーザーの近くで生じるかもしれない湿気の増加を除去する。いくつかの例示的な実施形態において、第１発泡体層は、第２発泡体層の空隙率よりも小さい空隙率を有し、その結果、第１発泡体層によって形成される、発泡体コアの第１側面は、より高い睡眠温度を維持するように構成され、一方、より多孔性の第２発泡体層で形成される、発泡体コアの第２側面は、第２発泡体層を通るより良好な気流及びより涼しい睡眠温度を提供する。
【０００７】
次に第１カバーの天面を考えると、例示的な布団クッションシステムでは、天面は、一般的に、下にある発泡体コアを保護するために十分な量の耐久性を有するが、また十分な量の「通気性」も有する織物を備え、空気及び熱が織物を通り移動し、及び下にある発泡体コアに位置するユーザーの体の部分に冷却効果を提供することを可能にする。ユーザーの体から離れる伝熱を改善して、さらに冷却効果を提供するために、天面は、通過する空気の十分な移動を許可する織物を備える。１つの特別な実施形態では、天面は、超高分子量ポリエチレン（ＵＨＭＷＰＥ）の織り糸で編まれた織物で構成される。
【０００８】
更なる改良として、いくつかの例示的な実施形態では、第１カバーの連続的な側面は、スペーサー織物（spacer textile）である。スペーサー織物は、一般的に、発泡体コアから離れて熱が容易に消散し、かつそれぞれの発泡体層を通過する気流を増すことを可能にするのに適した高多孔質物質で構成され、これはさらに、熱及び湿気がユーザーの体から離れて移動し、かつ発泡体コアの側面での冷却効果を提供するのを支援する。
【０００９】
いくつかの例示的な実施形態では、布団クッションシステムはさらに、ジッパーの形での留め金具を含み、これは、第１カバーの天面に第２カバーを接続し、よって第１カバー及び下にある発泡体コアに対して第２カバーの移動を禁じるあるいは減じる。具体的には、第１のジッパートラックは、天面の周囲に沿って位置し、第２のジッパートラックは、第２カバーの周囲に沿って位置する。またジッパーはさらに、ジッパートラックに接続されるジッパー引手も含み、その結果、ジッパー引手は、ジッパートラックの近くで滑ることができ、かつ第２カバーの取り付けあるいは第１カバーから第２カバーを分離するために使用可能である。
【００１０】
第２カバーに関して、いくつかの実施形態では、第２カバーは、以下でさらに述べるように、柔軟な睡眠表面（sleep surface）だけでなく断熱（insulative）特性も提供する織物（例えばキルティングの発泡体層のような）によって囲まれる薄い発泡体層を含む。特に、いくつかの実施形態では、カバーは、ベロアのようなフラシ天の織物（plush knitted textile）で構成され、これは、カバー内に位置する薄い発泡体層にキルティングされる、あるいは取り付けられる。
【００１１】
述べたように、本発明の布団クッションシステムは、ユーザーが自分の睡眠体験をカスタマイズすることを可能にする多くの構成間で有利に変更可能である。特に、布団クッションシステムの第１の構成では、発泡体コアは、第１カバーの天面に隣接した発泡体コアの第１発泡体層と共に第１カバー内に位置する。さらに、第１カバーの天面が露出したままでユーザーの体あるいはその部分を直接に支持するように、第２カバーは、第１カバーに取り付けられていない。このように、第１カバーの天面が露出されたままであるので、布団クッションシステムの第１カバーの天面に位置するユーザーの体の一部への冷却効果を提供することが可能となる。
【００１２】
布団クッションシステムの第２の構成において、発泡体コアは、第１カバーの天面に隣接した発泡体コアの第１発泡体層と共に第１の構成と同じに位置されるが、第２カバーは、第１カバーの天面にわたり延在するように第１カバーに取り付けられる。したがって第２カバーは、この第２構成の少なくとも一部分で、天面によって提供される冷却効果を有効に弱め、したがって、布団クッションシステムが第２の構成にあるとき、比較的断熱性の第１発泡体層と断熱性のカバーとの組み合わせは、布団クッションシステムの第２カバーの外表面での温度快適さにおける第２のレベルを提供する。発泡体層と第２カバーとの配列による第２レベルの温度快適さは、布団クッションシステムが第１の構成にあるときに提供される第１レベルの温度快適さにおけるよりも、ユーザーをより暖かく維持するように期待される。
【００１３】
布団クッションシステムの第３の構成では、発泡体コアは、第１カバーの天面に隣接した第２発泡体層と共に位置し、また、第２カバーは、第１カバーに取り付けられていない。第２カバーが取り付けられない状態で、したがって天面は、露出されたままであり、布団クッションシステムに位置するユーザーの体あるいはその部分を直接に支持する。この第３の構成では、天面の冷却効果と組み合わせた、通気性のある多孔性の第２発泡体層の相加効果は、温度快適さの第３のレベルを提供し、これは、布団クッションシステムが第１の構成にあるときに提供される第１レベルの温度快適さよりもユーザーをより涼しく維持するように期待される。
【００１４】
さらに、布団クッションシステムの第４の構成では、発泡体コアは、第１カバーの天面に隣接して位置する第２発泡体層と共に位置し、第２カバーは、天面にわたり延在するように第１カバーに取り付けられている。この第４の構成では、断熱性のカバーは、天面によって提供される冷却効果を、少なくとも一部分、有効に弱める。したがって、布団クッションシステムが第４の構成にあるとき、断熱性のカバーと組み合わせた通気性のある多孔性の第２発泡体層のバランスは、第２のカバーの外表面の温度快適さの第４のレベルを提供し、これは、布団クッションシステムが第３の構成にあるときに提供される第３レベルの温度快適さよりもユーザーをより暖かく保持するように構成される。布団クッションシステムの第４の構成において提供される温度快適さの第４のレベルは、発泡体コア、第１カバー、及び第２カバーの特定の構成に依存して、布団クッションシステムの第１の構成において提供される第１レベルの温度快適さよりも、より暖かくあるいはより涼しくすることができることがさらに期待される。しかしながら、すべての例において、第４レベルの温度快適さは、布団クッションシステムの第２の構成において提供される第２レベルの温度快適さよりも、より涼しい。
【００１５】
さらに、本発明によって提供されるものは、布団クッションシステムの使用方法である。いくつかの実施では、布団クッションシステムの使用方法は、第１発泡体層及び第２発泡体層を有する発泡体コアと、発泡体コアを囲み集合的に空洞を形成する天面、底面、及び連続した側面を有する第１カバーと、第１カバーの少なくとも天面をカバーするように選択的に取り付け可能で寸法的に形成された第２カバーとを含む布団クッションシステムを設けることを備える。次に、発泡体コアは、第１カバーの天面に隣接して位置する第１発泡体層と共に位置する、あるいは第１カバーの天面に隣接して位置する第２発泡体層と共に位置する。任意的に、第２カバーが第１カバーの天面にわたり延在するように、第２カバーは、第１カバーに取り付けることができる。
【００１６】
本発明のさらなる特徴及び利点は、本明細書における記述、図面、及び制限しない例の研究後に当業者に明らかになるだろう。
【図面の簡単な説明】
【００１７】
【図１】図１は、発泡体コアの上に位置する第１カバーから第２カバーが部分的に取り除かれた状態の、本発明にしたがって作製された例示的な布団クッションシステムの斜視図である。
【図２】図２は、図１の例示的な布団クッションシステムの分解斜視図である。
【図３】図３は、第１の構成において描かれた図１の例示的な布団クッションシステムの断面図である。
【図４】図４は、第２の構成において描かれた図１の例示的な布団クッションシステムの断面図である。
【図５】図５は、第３の構成において描かれた図１の例示的な布団クッションシステムの断面図である。
【図６】図６は、第４の構成において描かれた図１の例示的な布団クッションシステムの断面図である。
【図７】図７は、本発明にしたがって作製されたバッグに折り重ねられ収納された図１の布団クッションシステムの斜視図である。
【図８】図８は、発泡体コア上に位置する第１カバーから第２カバーが部分的に取り除かれた状態の、本発明にしたがって作製された別の例示的な布団クッションシステムの斜視図である。
【図９】図９は、第１の構成において描かれた図８の例示的な布団クッションシステムの断面図である。
【図１０】図１０は、第２の構成において描かれた図８の例示的な布団クッションシステムの断面図である。
【図１１】図１１は、第３の構成において描かれた図８の例示的な布団クッションシステムの断面図である。
【図１２】図１２は、第４の構成において描かれた図８の例示的な布団クッションシステムの断面図である。
【発明を実施するための形態】
【００１８】
本発明は、発泡体コア及び着脱可能なカバーを有する布団クッションシステムを含む。特に、本発明は、着脱可能なカバーとの組み合わせにおいて、ユーザーが自分の睡眠体験をカスタマイズすることを可能にするように複数の構成間で変更可能であるリバーシブルな発泡体コアを有する布団クッションシステムを含む。
【００１９】
最初に図１−図２を参照して、本発明の１つの例示的な実施形態において、第１発泡体層３０及び第２発泡体層５０を有する発泡体コア２０を含む布団クッションシステム１０が提供される。布団クッションシステム１０はまた、発泡体コア２０を囲む空洞を集合的に形成する、天面６２、底面６４、及び連続的な側面６６を有する第１カバー６０と、第１カバー６０の少なくとも天面６２をカバーするように選択的に取り付け可能で寸法的に形成された第２カバー８０とを含む。
【００２０】
今度は図２−図６を参照して、布団クッションシステム１０に含まれる発泡体コア２０は、発泡体コア２０の第１側面２２を形成する第１発泡体層３０、発泡体コア２０の第２側面２４を形成する第２発泡体層５０、及び第１発泡体層３０と第２発泡体層５０との間で位置する第３発泡体層４０を含んでいる。発泡体層３０、４０、５０の各々は、実質的に同じサイズで長方形片の柔軟な発泡体で構成され、これらは発泡体コア２０を形成するために互いに並べられともに接合されている。これに関連して、第１発泡体層３０及び第２発泡体層５０は、以下でさらに詳しく述べるように、ユーザーが自身の体あるいはその部分を、発泡体コア２０の第１側面２２あるいは第２側面２４のどちらに置いているかに応じて、発泡体コア２０で休息するユーザーに異なる支持表面及び異なる感覚を提供するように位置決めされ構成されている。
【００２１】
図２−図６を参照して、第１発泡体層３０、第２発泡体層５０、及び第３発泡体層４０は各々、一般的に、ユーザーの体あるいはその部分からの圧力を発泡体コア２０を横切って適切に分配可能である発泡体で構成される。そのような発泡体は、次のものに限定されないが、フォームラバー、網状あるいは非網状の粘弾性発泡体（時々、記憶フォームあるいは低反発フォームと呼ばれる）、網状あるいは非網状の非粘弾性発泡体、ポリウレタン高弾性発泡体、ソイフォーム（soy foam）、伸張ポリマーフォーム（例えば、拡張エチレン酢酸ビニル、ポリプロピレン、ポリスチレン、あるいはポリエチレン）、等を含む。更に、発泡体は、ゲル添加剤あるいはインサートを含んでもよい。
【００２２】
本発明の発泡体コアの発泡体層の１つ以上は、粘弾性発泡体で構成することができ、図２−図６に示される例示的な発泡体コア２０では、発泡体コア２０の少なくとも第１発泡体層３０及び第２発泡体層５０は、粘弾性発泡体で構成される。一般的に、本発明の例示的な発泡体コアにおいて使用可能な粘弾性発泡体は、ほぼ室温（つまり２１℃から２３℃）で、試料材料に対して材料の元の厚さの少なくとも４０％の圧縮までプレートから圧力をかけることによって測定されたとき、少なくとも約１０Ｎから約１００Ｎ以下の硬度を有する。ここで４０％の圧縮は、国際標準化機構（ＩＳＯ）２４３９の硬度計測標準によって確立されるような設定時間で保持される。いくつかの実施形態では、発泡体コア２０の発泡体層３０、４０、５０の少なくとも１つにおいて使用される粘弾性発泡体は、約１０Ｎ、約２０Ｎ、約３０Ｎ、約４０Ｎ、約５０Ｎ、約６０Ｎ、約７０Ｎ、約８０Ｎ、９０Ｎ、あるいは１００Ｎの硬度を有し、所望程度の快適さ及び体一致性（body-conforming qualities）を提供する。
【００２３】
発泡体コア２０の発泡体層３０、４０、５０において使用される粘弾性発泡体はまた、増加した材料耐久性だけでなく所望程度の快適さ及び体一致性の提供に役立つ密度をも有する。いくつかの実施形態では、発泡体コア２０の発泡体層３０、４０、５０の１つ以上において使用される粘弾性発泡体は、約３０ｋｇ／ｍ３以上、約１５０ｋｇ／ｍ３以下である。いくつかの実施形態では、粘弾性発泡体の密度は、約３０ｋｇ／ｍ３、約４０ｋｇ／ｍ３、約５０ｋｇ／ｍ３、約６０ｋｇ／ｍ３、約７０ｋｇ／ｍ３、約８０ｋｇ／ｍ３、約９０ｋｇ／ｍ３、約１００ｋｇ／ｍ３、約１１０ｋｇ／ｍ３、約１２０ｋｇ／ｍ３、約１３０ｋｇ／ｍ３、約１４０ｋｇ／ｍ３、あるいは約１５０ｋｇ／ｍ３である。
【００２４】
図１−図６に示される布団クッションシステム１０では、第１発泡体層３０及び第２発泡体層５０の特性を変えることによって、発泡体コア２０は、発泡体コア２０の側面２２、２４のどちらがユーザーあるいはその部分を支持するために使用されているかに依存して、快適さ及び支持の異なるレベルを提供することができる。例えば、ある実施形態では、第１発泡体層３０は、第２発泡体層５０の第２硬度よりも大きい第１硬度を有し、よって、発泡体コア２０の第１側面２２は、これは第１発泡体層３０によって形成され、ユーザーが自身の体あるいはその一部を休息するための堅い表面を提供するように構成され、一方、発泡体コア２０の第２側面２４は、これは第１発泡体層３０未満の硬度を有する第２発泡体層５０によって形成され、より柔軟な表面を提供する。例えば、図２−図６に示される発泡体コア２０では、第１発泡体層３０は、約７６−９０Ｎの第１硬度を有する粘弾性発泡体で構成され、一方、第２発泡体層５０は、約６１−７５Ｎの第２硬度を有する粘弾性発泡体で構成されている。さらに、第１発泡体層３０は、約７２−７８ｋｇ／ｍ３の第１密度を有し、第２発泡体層５０は、約８０−９０ｋｇ／ｍ３の第２密度を有する。
【００２５】
図２−図６に示される第１発泡体層３０及び第２発泡体層５０の硬度を変えることに加えて、いくつかの実施形態では、第３発泡体層４０の第３密度及び／又は硬度は、第１発泡体層３０、第２発泡体層５０、あるいは第１発泡体層３０及び第２発泡体層５０の両方の密度及び／又は硬度と同じではない。例えば、図２−図６に示される例示的な発泡体コア２０では、第３発泡体層４０の第３硬度は、第２発泡体層５０の第２硬度だけでなく第１発泡体層３０の第１硬度もよりも大きく、それによって発泡体コア２０の真中において剛性及び支持を提供する。具体的には、発泡体コア２０において、第３発泡体層４０は、約２２０Ｎの第３硬度を有するウレタンフォームで構成される。このように、第１発泡体層３０及び第２発泡体層５０は、発泡体コア２０の第１側面２２あるいは第２側面２４のそれぞれで所望の支持あるいは感覚特性を提供するように構成でき、一方、第３発泡体層４０は、必要な下にある支持を提供し、ユーザーが、下にある本発明の布団クッションシステム１０の硬い表面を感じないことを保証する。もちろん、特別な硬度を有する発泡体の選択は、密度、圧力への発泡体の応答の仕方、及び発泡体の総合的な感覚を含む、発泡体の他の特性に影響を与えるだろう。しかしながら、所望の硬度及び密度を有する発泡体は、要求されるような特定用途用に容易に選ぶことができることは理解されるべきである。
【００２６】
本発明の布団クッションシステムにしたがい使用される発泡体の硬度及び密度を変えることに加えて、例示的な発泡体コアにおいて使用される発泡体層はまた、様々なレベルの空隙率を有する発泡体で構成することもでき、より多孔性の発泡体は一般的に発泡体を通るより多くの気流を提供し、このことは発泡体の全面的な睡眠温度を低下させ、布団クッションシステムに位置するユーザーの近くで生じるかもしれない湿気の増加を除去することから、温度快適さの所望の程度を提供することに役立つ。例えば、図２−図６に示される例示的な発泡体コア２０において、第１発泡体層３０は、第２発泡体層５０の空隙率未満の空隙率を有する粘弾性発泡体で構成され、よって、発泡体コア２０の第１側面２２は、これは第１発泡体層３０によって形成され、より高い睡眠温度を維持するように構成され、一方、発泡体コア２０の第２側面２４は、これはより多孔性の第２発泡体層５０で形成され、より涼しい睡眠温度を提供する。例えば、図２−図６に示される発泡体コア２０では、第１発泡体層３０は、第１発泡体層３０を通る約０．０５−０．０６Ｌ／秒の気流を許可する第１空隙率を有する粘弾性発泡体で構成され、一方、第２発泡体層５０は、第２発泡体層５０を通る約４Ｌ／秒以上の気流を許可する第２空隙率を有する粘弾性発泡体で構成される。いくつかの実施形態では、そのような増加した空隙率を有する第２発泡体層５０を提供するために、第２発泡体層５０は、第２発泡体層５０を通るより速い気流だけでなく、より良い熱伝導、及び第２発泡体層５０を通るより効率的な湿気移動を確保するために、蜘蛛の巣状に柱を形成した厚い、連続気泡で構成された構造を有する粘弾性発泡体で構成される。
【００２７】
次に、例示的な布団クッションシステム１０に含まれる第１カバー６０について、図１−図６を参照して考えると、第１カバー６０の天面６２は、下にある発泡体コア２０を保護するために十分な量の耐久性を有し、さらに天面６２を通り空気及び熱が流れることを可能にし、かつ下にある発泡体コア２０に位置するユーザーの体の一部への冷却効果を提供するために十分な量の「通気性」を有する織物で典型的に構成される。ユーザーの体から離れる伝熱を改善し、かつさらに冷却効果を提供するために、第１カバー６０の天面６２は、超高分子量ポリエチレン（ＵＨＭＷＰＥ）の織り糸で織られた織物で構成される。ＵＨＭＷＰＥ織り糸は、さらに低吸湿性を有する軽量で耐久性のある材料を提供する。図１−図６に示される例示的な布団クッションシステム１０において、第１カバー６０の天面６２は、約３３％のＵＨＭＷＰＥ繊維、及び約６７％のポリエステル繊維の混合物で構成されている。もちろん、いくつかの実施形態では、天面はまた、綿、絹あるいは他の合成織物を含む他の織物で構成することもでき、これは、典型的に織物を通過する空気の十分な移動を可能にする。
【００２８】
さらに、いくつかの実施形態において、天面はまた、難燃性のバリアが下にある発泡体コア２０を囲み保護するような、難燃性材料の量を含むこともできる。さらにまた、いくつかの例示的な実施形態において、天面はまた、相変化材料の量を含むこともできる。このような相変化材料は、典型的に約２０℃から約３６℃の温度で相変化を受ける。しかしまた、例示的な布団クッションシステムの特別な用途に応じて、他の相変化材料も使用可能である。
【００２９】
図１−図６を参照して、第１カバー６０の底面６４もまた、下にある発泡体コア２０を保護するために、十分な量の耐久性を有する織物で典型的に構成される。しかしながら、天面６２と異なり、底面６４は、ＵＨＭＷＰＥ織り糸で構成されず、その代りにポリエステルで構成される。例示的な実施形態では、底面は、うね織り（pique weave）において１００％ポリエステルで構成される。さらに、明示されていないが、硬材の床のような比較的滑らかな表面に置かれたときに、布団クッションシステム１０の望まない移動を防ぐために、底面６４は、高摩擦被膜を含む１つ以上の滑り止め領域を含んでいる。
【００３０】
図１−図６を参照して、布団クッションシステム１０において、第１カバー６０の連続した側面６６は、スペーサー織物で構成される。連続的な側面６６のスペーサー織物は、一般的に、熱が発泡体コア２０から離れて容易に消散可能にするのに適した高多孔質物質で構成される。そのような多孔質物質は、次のものに制限されないが、回旋状発泡体、押出フィラメント、スペーサー織物、等を含む。図１−図６に示される例示的な実施形態では、連続的な側面６６のスペーサー織物は、三次元構造の繊維で形成された１００％ポリエステルで構成される。さらに、連続した側面６６はまた、連続的な側面６６を通る気流をさらに改善するために多くの気流孔を含んでいる。連続した側面６６の高多孔性の性質のため、発泡体コア２０の発泡体層３０、４０、５０のそれぞれを通る気流は増加し、発泡体コア２０から及び発泡体コアに休息するユーザーの体から離れる熱及び湿気の移動を改善する。
【００３１】
前に述べたように、第１カバー６０の天面６２、底面６４、及び連続的な側面６６は、発泡体コア２０を囲む空洞を集合的に形成する。図１及び図２をより詳しく参照して、第１ジッパー７０の形態における留め金具は、発泡体コア２０の周りに第１カバー６０を締め付けるために第１カバー６０の底面６４を連続した側面６６に接続し、また一方、さらに以下に述べるように、発泡体コア２０が第１カバー６０から取り除かれることを可能にする。特に、第１のジッパートラック７２は、連続的な側面６６の周囲に沿って天面６２の反対側に位置し、また、第２のジッパートラック７４は、底面６４の周囲に沿って位置する。第１ジッパー７０は、第１ジッパー７０の第１及び第２のトラック７２、７４に接続される少なくとも１つのジッパー引手７６をさらに含み、よって、ジッパー引手７６は、第１及び第２のトラック７２、７４の周りでスライドすることができ、底面６４を第１カバー６０の残り部分から分離するのに使用可能である。もちろん、第１ジッパー７０は、底面６４を第１カバー６０の残り部分から完全に分離するように構成される必要はないが、その代りに、他のいくつかの実施形態では、発泡体コア２０が第１カバー６０から除去できるのに十分に大きな開口を単に提供することができる。
【００３２】
図１及び図２を参照して、布団クッションシステム１０は、第２カバー８０を第１カバー６０に接続して、よって、第１カバー６０及び下にある発泡体コア２０に対する第２カバー８０の移動を禁じる第２ジッパー９０の形態における留め金具をさらに含む。具体的には、第１のジッパートラック９２は、第１カバー６０の天面６２の周囲に沿って位置し、また、第２のジッパートラック９４は、第２カバー８０の周囲に沿って位置する。第２ジッパー９０は、第２ジッパー９０の第１及び第２のトラック９２、９４に接続される少なくとも１つのジッパー引手９６をさらに含み、よってジッパー引手９６は、第１及び第２のトラック９２、９４の周りでスライドでき、第１カバー６０から第２カバー８０を分離するのに使用することができる。したがって、第２カバー８０は、単に第２カバー８０のジッパーを開けることによって第１カバー６０から容易に除去できるだけでなく、容易に再び取り付けることもできる。
【００３３】
第２カバー８０に関して、及び図１−図６を再び参照して、第２カバー８０は、織物によって囲まれた薄い発泡体層で構成され、以下でさらに述べるように、柔軟な睡眠表面だけでなく断熱特性も提供する。特に、いくつかの実施形態では、第２カバー８０は、内側の発泡体層に取り付けられるフラシ天で織られた織物（plush knitted textile）で構成される。例えば、図１及び図２に示すように、本発明の思想及び権利範囲から逸脱することなく他の既知の方法が使用可能であるが、織物は、第２カバー８０の内側の発泡体層上にキルティングすることができる。図１−図６に示される例示的な布団クッションシステム１０では、第２カバー８０は、約７５％の綿及び約２５％のポリエステルの混合物を備えたベロア織物を含み、洗濯可能な薄い発泡体層を囲む。その結果として、第２カバー８０を通る空気流量は、第１カバー６０の天面６２を通る空気流量未満であり、よって第２カバー８０は、第２カバー８０の外表面から離れる改善された伝熱を提供しない。むしろ、第２カバー８０のベロア織物及び薄い発泡体層は、断熱材に似たように作用し、第２カバー８０の外表面に位置するユーザーの体あるいはその部分に隣接するユーザーの体温を保持する。
【００３４】
図３−図６を参照して、着脱可能な第２カバー８０の使用、及び発泡体コア２０の発泡体層３０、４０、５０を異ならせることにより、本発明の布団クッションシステム１０は、複数の形態間で有利に変更可能であり、ユーザーが自分の睡眠体験をカスタマイズすることを可能にする。より具体的には、図３に関連する、布団クッションシステム１０の第１の構成では、発泡体コア２０は、発泡体コア２０の第１発泡体層３０が第１カバー６０の天面６２に隣接した状態で、第１カバー６０内に位置決めされる。さらに、第１カバー６０の天面６２が露出されたままで、布団クッションシステム１０に位置するユーザーの体あるいはその部分を直接支持するように、第２カバー８０は、第１カバー６０に取り付けられていない。このような方法で、また第１発泡体層３０がより大きな硬度を有し第２発泡体層５０ほど多孔性ではないことから、第１発泡体層３０は、ユーザーに対してより堅い支持を提供するだけでなく、第１発泡体層３０は、比較的断熱性で、より容易にユーザーの体温を保持する。さらに、第２カバー８０が第１カバー６０に取り付けられていないことから、前に述べたように、第１カバー６０の天面６２は、露出されたままであり、布団クッションシステム１０に位置するユーザーの体の一部に冷却効果を提供することを可能にする。したがって、布団クッションシステム１０が第１の構成にある場合、第１カバー６０の天面６２の冷却効果と組み合わせた比較的断熱性の第１発泡体層３０のバランスは、第１カバー６０に位置するユーザーの体あるいはその部分に関する第１レベルの温度快適さを提供する。
【００３５】
図４を参照して、布団クッションシステム１０の第２の構成では、発泡体コア２０は、発泡体コア２０の第１発泡体層３０が第１カバー６０の天面６２に隣接している状態の、図３に示される第１の構成と同じに位置する。しかしながら、図３に示される第１の構成と異なり、図４に示される第２の構成では、第２カバー８０は、第２ジッパー９０によって第１カバー６０に取り付けられ、よって、第２カバー８０の外表面は、布団クッションシステム１０に位置するユーザーの体あるいはその部分を直接支持する。この第２の構成では、断熱性の第２カバー８０は、第１カバー６０の天面６２によって提供される冷却効果を少なくとも一部分有効に弱める。したがって、布団クッションシステム１０が第２の構成にある場合、比較的断熱性の第１発泡体層３０と断熱性の第２カバー８０の組み合わせは、ユーザーに第２レベルの温度快適さを提供し、これは、布団クッションシステム１０が第１の構成にあるときに提供される第１レベルの温度快適さよりもユーザーをより暖かく保持するように構成される。
【００３６】
図５を参照して、布団クッションシステム１０の第３の構成では、発泡体コア２０は、図３−図４に示される第１及び第２の構成とはもはや同じには位置されていない。代わりに、図５に示される第３の構成では、発泡体コア２０の第２発泡体層５０は、第１カバー６０の天面６２に隣接して位置する。これに関し、図３−図４に示される第１及び第２の構成から発泡体コア２０の位置を、図５に示される第３の構成に変更するために、第１カバー６０の残り部分から底面６４を完全に分離するように、あるいは発泡体コア２０が第１カバー６０から除去可能なほど十分に大きな開口を提供するように、第１ジッパー７０は、典型的にまず開かれる。いずれかの方法で、発泡体コア２０は、第１カバー６０から除去され、第２発泡体層５０が第１カバー６０の天面６２に隣接して位置した状態で、第１カバー６０へ再び挿入される。よって底面６４は、第１ジッパー７０によって第１カバー６０の残り部分へ再び取り付けられる。
【００３７】
図３に示される第１の構成と同様に、図５に示される第３の構成において、第１カバー６０の天面６２が露出されたままで、布団クッションシステム１０に位置するユーザーの体あるいはその部分を直接支持するように、第２カバー８０は、第１カバー６０の天面６２に取り付けられていない。布団クッションシステム１０がこの第３の構成にある場合、第１カバー６０の天面６２の冷却効果と組み合わせた、通気性のある多孔性の第２発泡体層５０は、ユーザーのため第３レベルの温度快適さを提供し、これは、布団クッションシステム１０が第１の構成にあるときに提供される第１レベルの温度快適さよりもユーザーをより涼しく保持するように構成される。
【００３８】
図６を参照して、布団クッションシステム１０の第４の構成では、発泡体コア２０は、第２発泡体層５０が第１カバー６０の天面６２に隣接する状態の、図５に示される第３の構成と同じ方法において位置する。しかしながら、図５に示される第３の構成と異なり、図６に示される第４の構成では、第２カバー８０は、第２ジッパー９０によって第１カバー６０に取り付けられ、その結果、第２カバー８０の外表面は、布団クッションシステム１０に位置するユーザーの体あるいはその部分を直接支持する。このようにして、断熱性の第２カバー８０は、第１カバー６０の天面６２によって提供される冷却効果を少なくとも一部分有効に弱める。したがって、布団クッションシステム１０が第４の構成にある場合、断熱性の第２カバー８０と組み合わせた比較的通気性のある多孔性の第２発泡体層５０のバランスは、ユーザーのため第４レベルの温度快適さを提供し、これは、布団クッションシステム１０が第３の構成にあるときに提供される第３レベルの温度快適さよりもユーザーをより暖かく保持するように構成される。もちろん、図６に示される布団クッションシステム１０の第４の構成において提供される第４レベルの温度快適さは、発泡体コア２０、第１カバー６０、及び第２カバー８０の特別な構成に依存して、図３に示される布団クッションシステム１０の第１の構成において提供される第１レベルの温度快適さよりもより暖かく、あるいはより涼しくなることができるということが期待される。しかしながら、すべての例において、第４レベルの温度快適さは、図４に示される布団クッションシステム１０の第２の構成において提供される第２レベルの温度快適さよりも涼しくなるように構成される。
【００３９】
図３−図６に示されるように、本発明の布団クッションシステム１０は、このように４つの異なるレベルの温度快適さを有する少なくとも４つの異なる構成を提供する。これに関して、ユーザーは、所望レベルの温度快適さを有する支持表面をもたらすために、第１カバー６０内の発泡体コア２０を単に反転する及び／又は第２カバー８０を取り付けるあるいは除去することによって布団クッションシステム１０を自分の好みに容易に構成することができる。例えば、春、夏、秋、冬の各季節用に好ましい構成が使用可能なように、ユーザーは、年間を通じて気候が変化したときに、本発明にしたがって作製された布団クッションシステムの構成を継続的に変更することができる。
【００４０】
本発明への一層の改良として、図７を参照して、上述した布団クッションシステム１０のような、例示的な布団クッションシステムは、一般的に、折り畳まれバッグ１０２内に収納されるように構成される。具体的には、この例示的な実施形態において、布団クッションシステム１０は、バッグ１０２の内側に置かれる前に布団クッションシステム１０の長さに沿って３つに折り重ねるように構成される。バッグ１０２に加えて、布団クッションシステムがバッグ１０２内に収納されても収納されなくても、折り重ねられた位置に布団クッションシステム１０を固定するためにベルト１０４も使用することができることが考えられる。この目的のために、ベルト１０４は、布団クッションシステム１０の周りの適所にベルト１０４を締め付ける、布団クッションシステム１０の周りにベルト１０４を維持する面ファスナー１０６のような、手段を含む。収納された布団クッションシステム１０を運ぶ際にユーザーを支援するために、ベルト１０４に接続された１本以上の取っ手１０８がさらに含まれる。
【００４１】
さらに本発明の布団クッションシステムの使用に関して、いくつかの実施では、布団クッションシステムの使用方法がさらに提供される。いくつかの実施において、上述した布団クッションシステム１０のような布団クッションシステムを使用する方法は、第１発泡体層及び第２発泡体層を有する発泡体コアと、発泡体コアを囲む空洞を集合的に形成する天面、底面、及び連続した側面を有する第１カバーと、選択的に取り付け可能なカバーであり、第１カバーの少なくとも天面を覆うように寸法的に形成された第２カバーとを含む布団クッションシステムを提供するステップを含む。
【００４２】
次に、発泡体コアは、次のいずれかで位置される。即ち、（ａ）第２カバーが第１カバーに取り付けられることなく、第１発泡体層が第１カバーの天面に隣接して位置する状態で、あるいは（ｂ）第２カバーが第１カバーに取り付けられることなく、第２発泡体層が第１カバーの天面に隣接して位置する状態で。任意的に、その後、第２カバーが第１カバーの天面にわたり延在するように、第２カバーは第１カバーに取り付けることができる。
【００４３】
図８−図１２を参照して、本発明の別の例示的な実施形態では、布団クッションシステム２１０は、図１−図６において上述した布団クッションシステム１０によく似ており、発泡体コア２２０と、発泡体コア２２０を囲む第１カバー２６０と、選択的に取り付け可能なカバーであり、第１カバー２６０の少なくとも第１面２６２ａを覆うように寸法的に形成された第２カバー２８０ａとを含む。第１カバー２６０はまた、発泡体コア２２０の第１側面２２２にわたり位置する第１面２６２ａと、第１側面の反対側の、発泡体コア２２０の第２側面２２４にわたり位置する第２面２６２ｂと、第１面２６２ａ及び第２面２６２ｂ間に延在する連続した側面２６６とを含む。
【００４４】
図８−図１２に示され、第１カバー２６０の第１面２６２ａを覆う第２カバー２８０ａを加えた例示的な布団クッションシステム２１０において、この実施形態では、別の第２カバー２８０ｂは、同様に第１カバー２６０の第２面２６２ｂを覆う。布団クッションシステム２１０は、第２カバー２８０ａ、２８０ｂを第１面２６２ａ及び第２面２６２ｂに接続するジッパー２９０ａ、２９０ｂの形態における留め金具をさらに含む。一方のジッパー２９０ａは、第１面２６２ａの周囲に沿って位置する第１のジッパートラック２９２ａを含み、他方のジッパー２９０ｂは、第２面２６２ｂの周囲に沿って位置する第２のジッパートラック２９２ｂを含む。第２カバー２８０ａ、２８０ｂの各々は、同様に、第２カバー２８０ａ、２８０ｂの周囲に沿って位置するカバー・ジッパートラック２９４ａ、２９４ｂと、ジッパー引手であって、図１及び図２に関して上述した第２ジッパー９０と実質的に同じ方法において、第１面２６２ａ及び第２面２６２ｂからジッパー引手２９６ａ、２９６ｂと共に第２カバー２８０ａ、２８０ｂを容易に除去可能とするジッパー引手２９６ａ、２９６ｂと、を含む。
【００４５】
図８−図１２に示される例示的な布団クッションシステム２１０の発泡体コア２２０は、図２−図６に関して上述した発泡体コア２０と実質的に同一であり、発泡体コア２２０の第１側面２２２を形成する第１発泡体層２３０、発泡体コア２２０の第２側面２２４を形成する第２発泡体層２５０、及び、第１発泡体層２３０と第２発泡体層２５０との間に位置する第３発泡体層２４０を同様に含んでいる。同様に、第１面２６２ａ及び第２面２６２ｂは、これらは発泡体コア２２０の側面の一方に位置する、図１−図６に関して上述した、第１カバー６０の天面６２に実質的にそれぞれ同一であり、面２６２ａ、２６２ｂのそれぞれは、面２６２ａ、２６２ｂのそれぞれを通って空気及び熱が移動することを可能にし、かつ下にある発泡体コア２２０に位置するユーザーの体の一部に冷却効果を提供するのに十分な量の「通気性」を有する。同様に、連続的な側面２６６は、図１−図６に関して上述した第１カバー６０の連続的な側面６６と実質的に同一である。さらに、第２カバー２８０ａ、２８０ｂの各々もまた、図１−図６に関して上述した第２カバー８０と実質的に同一であり、また、第１カバー２６０のそれぞれの第１及び第２の面２６２ａ、２６２ｂと比べると、第２カバー２８０ａ、２８０ｂを通るより少ない気流を提供する。
【００４６】
図９−図１２を参照して、多数のカバー及び発泡体層の使用により、本発明の布団クッションシステム２１０はまた、複数の構成間で有利に変更可能であり、ユーザーが自分の睡眠体験をカスタマイズすることを可能にする。より具体的には、図９に関して、布団クッションシステム２１０の第１の構成では、発泡体コア２２０は、第２発泡体層２５０の上の第１発泡体層２３０と共に、及び第１のジッパートラック２９２ａによって第１面２６２ａに第２カバー２８０ａが取り付けられることなく位置されている。しかしながら、他方の第２カバー２８０ｂは、ジッパー２９０ｂによって第２面２６２ｂに取り付けられている。第２カバー２８０ａが取り付けられず、第１面２６２ａは、露出されたままであり、したがって、第１面２６２ａの外表面は、布団クッションシステム１０が図３に示される第１の構成にあるときに提供される第１レベルの温度快適さと同様に、布団クッションシステム２１０の第１支持表面２１２で第１レベルの温度快適さを提供する、布団クッションシステム２１０の第１支持表面２１２を備える。
【００４７】
図１０を参照して、布団クッションシステム２１０の第２の構成では、発泡体コア２２０は、第１発泡体層２３０が第２発泡体層２５０の上方に位置した状態で、図９に示される第１の構成と同じに位置決めされる。しかしながら、図９に示される第１の構成とは異なり、図１０に示される第２の構成では、第２カバー２８０ａがジッパー２９０ａによって第１面２６２ａに取り付けられている。したがって、第２カバー２８０ａの外表面は、布団クッションシステム１０が図４に示される第２の構成にあるときに提供される第２レベルの温度快適さと同様に、布団クッションシステム２１０の第２支持表面２１４で第２レベルの温度快適さを提供する、布団クッションシステム２１０の第２支持表面２１４を備える。
【００４８】
図１１を参照して、布団クッションシステム２１０の第３の構成では、発泡体コア２２０は、第１発泡体層２３０の上方に第２発泡体層２５０を有して位置される。前に述べたように、第１カバー２６０は、発泡体コア２２０から着脱可能ではなく、その結果、第２面２６２ｂは、第１面２６２ａの上方に同様に位置する。図１１に示される第３の構成において示されるように、第２カバー２８０ｂは、第２面２６２ｂに取り付けられていない。しかしながら、他方の第２カバー２８０ａは、ジッパー２９０ａによって第１面２６２ａに取り付けられている。第２カバー２８０ｂが取り付けられておらず、第２面２６２ｂは、露出されたままであり、したがって、第２面２６２ｂの外表面は、布団クッションシステム１０が図５に示される第３の構成にあるときに提供された第３レベルの温度快適さと同様に、布団クッションシステム２１０の第１支持表面２１６で第３レベルの温度快適さを提供する、布団クッションシステム２１０の第３支持表面２１６を備える。
【００４９】
図１２を参照して、布団クッションシステム２１０の第４の構成では、発泡体コア２２０は、第２発泡体層２５０が第１発泡体層２３０の上方に位置した状態で、図１１に示される第３の構成と同じ方法において位置決めされる。しかしながら、図１１において示される第３の構成と異なり、図１２に示される第４の構成では、第２カバー２８０ｂは、ジッパー２９０ｂによって第２面２６２ｂに取り付けられている。したがって、第２カバー２８０ｂの外表面は、布団クッションシステム１０が図６に示される第４の構成にあるときに提供される第４レベルの温度快適さと同様に、布団クッションシステム２１０の第４支持表面２１８で第４レベルの温度快適さを提供する、布団クッションシステム２１０の第４支持表面２１８を備える。
【００５０】
図９−図１２に示されるように、布団クッションシステム２１０は、図２−図６に関して上述した布団クッションシステム１０の４つの異なる構成と同様に少なくとも４つの異なる構成を提供する。具体的には、図８−図１２に示される布団クッションシステム２１０のそれぞれの構成は、図２−図６に関して上述した布団クッションシステム１０によって提供される４つのレベルの温度快適さに実質的に同様の、異なるレベルの温度快適さを有する４つの異なる支持表面２１２、２１４、２１６、２１８のうちの１つを同様に有する。
【００５１】
当業者は、本発明の教示あるいは以下の請求範囲の権利範囲から逸脱することなく追加の実施形態もまた可能であることを認識するであろう。この詳述、及び特に例示的な実施形態の具体的な詳細は、主として理解の明瞭さのために与えられ、不必要な限定がないことはそこから理解され、変更に関して、この開示を読むことで当業者に明らかになるであろうし、請求される発明の思想あるいは権利範囲から逸脱することなくなされてもよい。
【図１】
2019533488.tif 000003
【図２】
2019533488.tif 000004
【図３】
2019533488.tif 000005
【図４】
2019533488.tif 000006
【図５】
2019533488.tif 000007
【図６】
2019533488.tif 000008
【図７】
2019533488.tif 000009
【図８】
2019533488.tif 000010
【図９】
2019533488.tif 000011
【図１０】
2019533488.tif 000012
【図１１】
2019533488.tif 000013
【図１２】
2019533488.tif 000014
【国際調査報告】
2019533488.tif 000015
2019533488.tif 000016
2019533488.tif 000017
2019533488.tif 000018